(57)【要約】【課題】特急券のような乗車券をＩＣカード（非接触券）を用いて事前購入したときに、後に特典を受けられるポイントを付与できるようにする。【解決手段】ＩＣカードを用いて所定の乗車券を発券したときに、そのＩＣカードに所定のポイントデータを記憶させることのできる、列車外に設置されている窓口処理機又は自動券売機と、前記窓口処理機又は自動券売機で記憶されたポイントデータを、それら窓口処理機又は自動券売機と通信回線を介して収集してＩＣカードの識別情報とともに管理する中央装置とからなる。【選択図】      図４
2004341774.tif 000002
【特許請求の範囲】
【請求項１】
ＩＣカードの本体のメモリにそのＩＣカードの本体を用いて列車外で所定の乗車券を購入したときに、の購入金額に対応して所定の特典を受けることのできるポイントデータを記憶するポイントデータ記憶部を設けたことを特徴とするＩＣカード。
【請求項２】
請求項１に記載のＩＣカードにおいて、ＩＣカードの本体は非接触式自動改札機で使用される非接触式であることを特徴とするＩＣカード。
【請求項３】
ＩＣカードを用いて所定の乗車券を発券したときに、そのＩＣカードに所定のポイントデータを記憶させることのできる、列車外に設置されている窓口処理機又は自動券売機と、
前記窓口処理機又は自動券売機で記憶されたポイントデータを、それら窓口処理機又は自動券売機と通信回線を介して収集してＩＣカードの識別情報とともに管理する中央装置と、
からなることを特徴とするＩＣカードを用いた発券システム。
【請求項４】
請求項３に記載のＩＣカードを用いた発券システムにおいて、ＩＣカードは、非接触式自動改札機で使用される非接触式であることを特徴とするＩＣカードを用いた発券システム。
【発明の詳細な説明】
【０００１】
【発明の属する技術分野】
本発明は、ＩＣカードの本体を用いて回数券や特急回数券等の乗車券を購入したときに、利用者が所定の特典を受けることのできるポイントを付与することのできるＩＣカード、及びそのＩＣカードを用いた発券システムに関する。
【０００２】
【従来の技術】
近年、首都圏においては、利用者（旅客）の利便向上を図るために、定期券やＳＦカード（ストアードフェアカード）を無線通信機能を備えたＩＣカード、いわゆる非接触券とし、また、自動改札機をその非接触券を処理することのできる非接触式自動改札機として、入出場（入場又は出場を意味している。）が効率よく行えるようになってきている（特許文献１参照。）。
【０００３】
【特許文献１】特開２００３−６６８６号公報
【０００４】
【発明が解決しようとする課題】
しかしながら、上記従来の非接触券は、ＳＦカードの機能を有しているので、定期券の乗車区間外であってもそのＳＦカードを利用して入出場できるという利便性を利用者に与えることができるが、そのＳＦカードに事前に金額を入金しているにもかかわらず、利用者に対して何ら特典を与えていないという欠点があった。
【０００５】
そこで、本発明は、上記欠点を解決するためになされたものであって、その目的は、利用者に対して何らかの特典を与えることのできるＩＣカード、及びそのＩＣカードを用いた発券システムを提供することにある。
【０００６】
【課題を解決するための手段】
本発明に係るＩＣカードは、上記目的を達成するために、請求項１に記載の発明は、ＩＣカードの本体のメモリにそのＩＣカードの本体を用いて列車外で所定の乗車券を購入したときに、購入金額に対応して所定の特典を受けることのできるポイントデータを記憶するポイントデータ記憶部を設けたことを特徴としている。
本発明の請求項２に記載のＩＣカードは、ＩＣカードの本体は非接触式自動改札機で使用される非接触式であることを特徴としている。
本発明に係るＩＣカードを用いた発券システムは、上記目的を達成するために、請求項３に記載の発明は、ＩＣカードを用いて所定の乗車券を発券したときに、そのＩＣカードに所定のポイントデータを記憶させることのできる、列車外に設置されている窓口処理機又は自動券売機と、前記窓口処理機又は自動券売機で記憶されたポイントデータを、それら窓口処理機又は自動券売機と通信回線を介して収集してＩＣカードの識別情報とともに管理する中央装置と、からなることを特徴としている。
本発明の請求項４に記載のＩＣカードを用いた発券システムは、ＩＣカードは、非接触式自動改札機で使用される非接触式であることを特徴としている。
【０００７】
【発明の実施の形態】
以下、本発明の実施の形態を図面に基づいて説明する。図１は、一実施の形態に係るＩＣカードを用いた発券システムの概略構成図である。なお、ここでは、本発明に係るＩＣカードをそのＩＣカードの本体を含めて非接触券Ｃとして説明する。
【０００８】
図１中、ａは、窓口処理機であって、駅あるいは旅行会社等の利用者（旅客）に対して所定のサービスを行うことのできる所定の機関に設置されている。この窓口処理機ａは、ここでは駅の窓口に設置され、駅の係員によって操作されるものとして示されている。この窓口処理機ａは、後に詳述するが、利用者の所持する非接触券Ｃに記憶されているＳＦデータ（金額データ）を用いて回数券や特急券等の所定の乗車券イを事前に購入したときのポイントデータを記憶することができるように構成されている。
【０００９】
上記窓口処理機ａは、図２に示されるように、メモリ１に記憶されているシステムプログラムデータ及びワーキングデータを基に所定の演算処理を行う中央処理部（ＣＰＵ）２を有している。そして、このＣＰＵ２には、窓口処理機ａの操作面に設けられているタッチパネルや釦群からなる入力ユニット３と、その入力ユニット３から入力された所定の乗車券を特定するための信号に基づいてその所定の乗車券を作成して発行する発券ユニット４と、後述する中央装置と通信回線Ｌを介して通信を行うための通信制御部５と、窓口処理機ａの図示しない挿入口に挿入された非接触券Ｃに記録されているデータを非接触で読取るとともに、その非接触券Ｃに非接触でデータを書込むためのアンテナ６ａを備えたリーダライタ６とが接続されている。
【００１０】
なお、上述の例では、窓口処理機ａは駅の係員窓口に設置されている例を示したが、列車内以外の旅行会社等の利用者に対して所定のサービスを行うことのできる場所に設置されるものであってもよい。
【００１１】
非接触券Ｃは、周知の非接触式自動改札機で使用されるもので無線機能を備えたＩＣカードから構成されている。すなわち、この非接触券Ｃは、図２に示されるように、窓口処理機ａ側と通信を行うためのアンテナ１０ａを備えた通信制御部１０と、非接触券Ｃを統括的に制御するＣＰＵ１１と、所定のカードデータを記憶するメモリ１２と、窓口処理機ａのアンテナ６ａから送出される電力波を受信して非接触券Ｃの駆動電力を生成する電力生成回路１３とが設けられている。
【００１２】
上記メモリ１２には、非接触券Ｃの識別情報（カードＩＤ）を記憶するカードＩＤデータ記憶部ｍ１  、所定の定期券データを記憶する定期券データ記憶部ｍ２  、ＳＦデータ（残額データ）を記憶するＳＦデータ記憶部ｍ３  及び本発明に係る所定の乗車券を購入したときのポイントデータを記憶するポイントデータ記憶部ｍ４  が設けられている。
【００１３】
また、この非接触券Ｃの裏面（定期券の乗車区間等の印字されている面と反対側の面）等の所定の場所には、ポイントデータ記憶部ｍ４  に記憶されているデータに対応したポイント数の内容がリライト式（印字した内容を消去できる方式）で印字できるように構成されている。したがって、上記窓口処理機ａ、後述する自動券売機及びカード処理機には、図示しないがリライト式の印字ユニットが組み込まれている。このリライト式の印字としては、所定の発色温度で印字されたり、所定の消色温度で消字されるような形式が採用される。
【００１４】
図１中、ｂは、駅に設置される自動券売機であり、この自動券売機ｂは、図３に示されるように、メモリ２０に記憶されているシステムプログラムデータ及びワーキングデータを基に所定の演算処理を行う中央処理部（ＣＰＵ）２１を有している。そして、このＣＰＵ２１には、自動券売機ｂの接客面に設けられているタッチパネルや釦群からなる入力ユニット２２と、本発明に係る非接触券Ｃを用いて発行される乗車券、及び従来と同様に金銭を用いて発行される乗車券に所定の内容を印字し、かつ、所定のデータを書込んで発行する発券ユニット２３と、自動券売機ｂに投入された乗車券購入のための金銭を検銭し、必要に応じて釣銭を排出する金銭処理ユニット２４と、後述する中央装置と通信回線Ｌを介して通信を行うための通信制御部２５と、自動券売機ｂの図示しない挿入口に挿入された非接触券Ｃに記録されているデータを非接触で読取るとともに、その非接触券Ｃに非接触でデータを書込むための、アンテナ２６ａを備えたリーダライタ２６とが接続されている。なお、このＣＰＵ２１には、係員処理ユニット等も接続されているが、ここでは省略されている。
【００１５】
図１中、Ｈは、鉄道会社の本社等の所定の中央に設置されたホストコンピュータからなる中央装置であり、通信回線Ｌを介して上記窓口処理機ａ及び自動券売機ｂと接続されている。そして、この中央装置Ｈは、非接触券Ｃを用いて窓口処理機ａで事前に乗車券イが購入されたときのポイント情報及び自動券売機ｂで乗車券イが事前に購入されたときのポイント情報を、図１に示されるように、中央装置ＨのメモリＭに非接触券Ｃの識別情報（カードＩＤ）とともに記憶して一元的に管理できるように構成されている。なお、乗車券イに対するポイントは、例えば、乗車券イの購入金額１００円に対して１ポイントとなるように決められる。したがって、窓口処理機ａ又は自動券売機ｂで１０００円の乗車券イを事前購入したときのポイントは、「１０」が与えられる。
【００１６】
図１中、Ｔは、非接触券Ｃを用いて乗車できる列車（電車）であり、Ｐは、その列車Ｔの乗務員（車掌）ロの所持する携帯型の端末器である。この端末器Ｐは、非接触券Ｃと交信できるリーダライタを備えているとともに、非接触券Ｃに記憶されているＳＦデータ（金額データ）を用いて車内で精算処理や乗車券イを発行できるように構成されている。なお、この端末器Ｐで非接触券Ｃを用いて精算処理や発行処理が行われても、上述したポイントは付与されないように構成されている。したがって、非接触券Ｃにポイントを記憶させるためには、上記窓口処理機ａ又は自動券売機ｂで事前に所定の乗車券イを購入する必要がある。
【００１７】
以下、図４（ａ）のフローチャートを用いて窓口処理機ａの制御動作について説明する。なお、自動券売機ｂの制御動作もほぼ同じなので同時に（）で説明する。今、利用者が乗車券を事前に購入しようとしていて、利用者から係員に渡された非接触券Ｃが係員によって窓口処理機ａに挿入されたとする（自動券売機ｂの場合は、利用者によって非接触券Ｃが自動券売機ｂに挿入される。）（ステップ１００肯定。以下、ステップを「Ｓ」とする。）。非接触券Ｃが窓口処理機ａ（自動券売機ｂ）に挿入されると、その非接触券Ｃと窓口処理機ａ（自動券売機ｂ）との間の通信が開始されて非接触券Ｃに記憶されているデータ（カードデータ）が読取られ、その読取られたデータを基にしたＣＰＵ２（ＣＰＵ２１）の演算処理の結果、有効券と判定されると、利用者の希望する乗車券イを特定する情報が入力ユニット３（入力ユニット２２）から入力される（Ｓ１０２、Ｓ１０４肯定、Ｓ１０６）。なお、上述の演算処理の結果、無効券（ＳＦデータの残額不足を含む。）と判定されたときは、非接触券Ｃを用いた乗車券発行はできないので、金銭を用いた通常の発行処理が行われる（Ｓ１０４否定）。
【００１８】
窓口処理機ａ（自動券売機ｂ）に利用者の希望する乗車券イの情報の入力が終了し、かつ、その入力された情報の乗車券イの購入金額を満たす残額が非接触券ＣのＳＦデータ記憶部ｍ３  に記憶されているときは（Ｓ１０６肯定、なお、非接触券Ｃの残額が乗車券イの購入金額を満たしていないときは、非接触券Ｃを用いた乗車券購入は禁止される（図４（ａ）のフローチャートでは省略）。）、発券ユニット４（発券ユニット２３）を介して乗車券イが作成されて発行され、非接触券ＣのＳＦデータ記憶部ｍ３  からその乗車券イの購入金額に相当する金額が減額処理されて新たな残額が記憶され、そして、今回の購入金額に相当するポイント数がポイントデータ記憶部ｍ４  に累積して記憶される（Ｓ１０８）。
【００１９】
非接触券Ｃにポイントデータが記憶されると、その非接触券Ｃの識別情報（カードＩＤ）とともに、そのポイントデータが通信制御部５（通信制御部２５）及び通信回線Ｌを介して中央装置Ｈに送信される（Ｓ１１０）。
【００２０】
図４（ｂ）は、中央装置（ホストコンピュータ）Ｈの制御動作であって、窓口処理機ａ（自動券売機ｂ）から送信されたポイントデータは、中央装置ＨのメモリＭに非接触券Ｃの識別情報（カードＩＤ）毎に整理されて記憶される（Ｓ２００肯定、Ｓ２０２。図１参照。）。なお、中央装置Ｈにおけるポイントデータの管理（記憶）は、列車Ｔ内で非接触券Ｃが使用された場合は行われない。
【００２１】
図１では省略されているが、通信回線Ｌには、非接触券Ｃのポイントデータ記憶部ｍ４  に記憶されているポイントを使用できる端末機が接続されている。この端末機としては、例えば、列車Ｔの運行会社の系列のデパートの売場に設けられているカード処理機があげられる。そして、このカード処理機で非接触券Ｃに記憶されているポイントが使用される。
【００２２】
すなわち、非接触券Ｃに記憶されているポイントは、非接触券Ｃを用いて所定の商品を購入する場合（非接触券ＣのＳＦデータを用いて商品の購入代金を支払う場合だけでなく、その非接触券Ｃを会員証として用いる場合も含む。）、ポイント数に応じた割引等の特典が受けられるように運用されているので、カード処理機で非接触券Ｃのポイントが使用されたときは（Ｓ２００否定、Ｓ２０４肯定）、非接触券Ｃの識別情報（カードＩＤ）と使用されたポイント数の情報が中央装置Ｈに送信され、中央装置ＨのメモリＭに記憶されているその非接触券Ｃのポイント数の減算処理が行われる（Ｓ２０６）。カード処理機では、使用されたポイント数を減算した新たなポイント数が非接触券Ｃに印字されて返却される。
【００２３】
なお、上述の例では、非接触券Ｃに記憶されているポイントを使用できる端末機としてデパートに設置されているカード処理機としたが、窓口処理機ａや自動券売機ｂもカード処理機とすることもできる。この場合は、乗車券イの購入代金をポイント数で充当することができる。
【００２４】
上述のように、非接触券Ｃを用いて回数券や特急券等の乗車券イを購入したときは、非接触券Ｃにポイントが付与され、後に、その付与されたポイントを用いた特典を受けられるので、乗車券の事前購入が促されて車内処理の負担を軽減することができる。また、事前に目的地までの乗車券の購入が行われるので、結果的に不正乗車を未然に防止することも可能となる。
【００２５】
【発明の効果】
本発明の請求項１に記載のＩＣカードは、ＩＣカードの本体のメモリにそのＩＣカードの本体を用いて列車外で所定の乗車券を購入したときに、購入金額に対応して所定の特典を受けることのできるポイントデータを記憶するポイントデータ記憶部を設けたので、事前購入した乗車券に対応したポイントデータを効率よく記憶することができる。
本発明の請求項２に記載のＩＣカードは、ＩＣカードの本体を非接触式自動改札機で使用される非接触式としたので、非接触式自動改札機で使用されている非接触券を利用することができる。
本発明の請求項３に記載のＩＣカードを用いた発券システムは、ＩＣカードを用いて所定の乗車券を発券したときに、そのＩＣカードに所定のポイントデータを記憶させることのできる、列車外に設置されている窓口処理機又は自動券売機と、前記窓口処理機又は自動券売機で記憶されたポイントデータを、それら窓口処理機又は自動券売機と通信回線を介して収集してＩＣカードの識別情報とともに管理する中央装置とからなるので、事前購入した乗車券に対応したポイントデータを中央装置で一元的に管理することができる。
本発明の請求項４に記載のＩＣカードを用いた発券システムは、ＩＣカードを非接触式自動改札機で使用される非接触式としたので、非接触式自動改札機で使用されている非接触券を利用することができる。
【図面の簡単な説明】
【図１】本発明の一実施の形態に係るＩＣカードを用いた発券システムの概略構成図である。
【図２】窓口処理機及びＩＣカードのブロック図である。
【図３】自動券売機のブロック図である。
【図４】制御動作を示すブロック図である。
【符号の説明】
ａ  窓口処理機
ｂ  自動券売機
Ｈ  中央装置
Ｌ  通信回線
Ｃ  ＩＣカード（非接触券）
【図１】
2004341774.tif 000003
【図２】
2004341774.tif 000004
【図３】
2004341774.tif 000005
【図４】
2004341774.tif 000006